(57)【要約】【課題】  地震時に地盤が液状化した際に、マンホールが浮上して道路面に突出することを防止し得る浮上防止用のマンホールを目的とする。【解決手段】  マンホールの上部の斜壁管４の上縁と調整リング５との間に該斜壁管４の上縁の外径より大きい外径を持ったリング状浮上防止板１を介在させ、これ等の斜壁管４、リング状浮上防止板１及び蓋受枠６とをインサートアンカー７、ボルト８、ナット９を用いて一体的に連結した浮上防止マンホールである。【選択図】      図１
2006299626.tif 000002
【特許請求の範囲】
【請求項１】
上部に斜壁管、調整リング、蓋受枠及び開閉蓋を順に積層して構成したマンホールに於て、前記斜壁管の上縁の外径よりも大きな外径を有する浮上防止リングを該斜壁管の上縁と蓋受枠との間に介在させると共にこれ等の斜壁管、浮上防止リング及び蓋受枠を斜壁管の上縁に起立突設されたボルト等を介して相互に一体的に連結して構成したことを特徴とした浮上防止マンホール。
【請求項２】
前記浮上防止リングがリング状浮上防止板或は浮上防止調整リングであることを特徴とした請求項１の浮上防止マンホール。
【発明の詳細な説明】
【技術分野】
【０００１】
本発明は、地震時に地盤の液状化現象により、マンホールが浮上して道路上にその上部が突出する現象を抑制することが出来る浮上防止マンホールに関するものである。
【背景技術】
【０００２】
従来のマンホールの内で、特に組立マンホールについて図７（ａ）、（ｂ）、（ｃ）で説明する。即ち、組立マンホールは、図に示す如く、一般的に地中のマンホール用穴の底部に栗石又は砕石等からなる基礎（省略）を設け、その上に底版５１、管取付壁管５２、直壁管５３、斜壁管５４、調整リング５５を順に積層し、該調整リング５５上にマンホール蓋を開閉自在に取付けることができる蓋受枠５６を載置固定して構成していた。図中５７は舗装層、５８、５９は下水管である。
【発明の開示】
【発明が解決しようとする課題】
【０００３】
然るに、液状化地盤に設置されたマンホールは、地震等によって地盤が液状化した場合には、図７（ａ）、（ｂ）、（ｃ）に示す如く、マンホールの「みかけ比重」が液状化した地盤よりも小さい為に浮力が発生する。
【０００４】
この浮力がマンホールに作用した場合には、特にマンホール上部の斜壁管５４が円錐形の形状をしているために、マンホールの上部の蓋受枠５６、調整リング５５及び斜壁管５４等が道路の舗装層５７を破砕して、路面上に大きく突出して交通の邪魔になると共に、マンホールに取付けられていた下水管５８、５９がマンホールから離脱してしまう等の問題があった。
【０００５】
特に、近年発生した新潟県中越地震に於ては、マグニチュード６．８の地震が発生したため、地域によっては、震度７、震度６の激しい揺れが観測され、この地域に於ては、地盤に液状化現象が発生し、多くの場所で道路の路面上にマンホールの上部が突出し、交通障害の原因となる問題もあった。
【０００６】
本発明に係る浮上防止マンホールは、前述の従来の多くの問題点に鑑み開発された全く新しい発明であって、特にマンホールの上部に斜壁管の上縁の外径以上の外径を有する浮上防止リングを取付けて構成し、マンホールの施工に当って該浮上防止リングの外周部を道路舗装層の下方に配置することによって、地震時に地盤に液状化現象が発生しても、マンホールが浮上することを防止可能とした全く新しい技術を提供するものである。
【課題を解決するための手段】
【０００７】
本発明に係る浮上防止マンホールは、前述の従来の問題点を根本的に改善した発明であって、その第１の構成は、上部に斜壁管、調整リング、蓋受枠及び開閉蓋を順に積層して構成したマンホールに於て、前記斜壁管の上縁の外径よりも大きな外径を有する浮上防止リングを該斜壁管の上縁と蓋受枠との間に介在させると共にこれ等の斜壁管、浮上防止リング及び蓋受枠を斜壁管の上縁に起立突設されたボルト等を介して相互に一体的に連結して構成したことを特徴とした浮上防止マンホールである。
【０００８】
また、本発明に係る浮上防止マンホールの第２の構成は、前記浮上防止リングがリング状浮上防止板或は浮上防止調整リングであることを特徴とした第１の構成の浮上防止マンホールである。
【発明の効果】
【０００９】
前記本発明の第１の構成に於ては、斜壁管の上縁の外径よりも大きな外径を有する浮上防止リングを斜壁管の上縁と蓋受枠との間に介在させたので、地震時にマンホールの地盤が液状化しても、該浮上防止リングが周りの舗装層や土壌に押さえられるので、マンホールの浮上を防止することが出来る。
【００１０】
本発明の第２の構成に於ては、前記第１の構成の浮上防止リングをリング状浮上防止板或は浮上防止調整リングで構成することが出来るので、マンホールの斜壁管の上縁と蓋受枠との間に簡単かつ一体的に取付けることが出来る。
【発明を実施するための最良の形態】
【００１１】
図により本発明に係る浮上防止マンホールの一実施例を具体的に説明すると、図１は本発明に係る第１実施例の浮上防止マンホールの平面図及び縦断面図、図２は第１実施例で使用されるリング状浮上防止板の平面図及び縦断面図、図３は第１実施例の浮上防止マンホールの地震時の状態を示す縦断面説明図である。
【００１２】
図４は本発明に係る第２実施例の浮上防止マンホールの平面図及び縦断面図、図５は第２実施例で使用される浮上防止調整リングの平面図及び縦断面図、図６は第２実施例の浮上防止マンホールの地震時の状態を示す縦断面説明図である。
【００１３】
図１乃至図３に於て、本発明に係る第１実施例の浮上防止マンホールについて説明すると次の通りである。即ち、図に於て、１はリング状浮上防止板であって、中央部に丸穴２を有するリング状鉄板より構成されており、丸穴２の周りには複数のボルト穴３が設けられている。該リング状浮上防止板１の外径は、後述の斜壁管の上縁の外径よりも大きく形成されている。
【００１４】
前記リング状浮上防止板１をマンホールの上部に組付けるに当っては、特に図１に示す如く、斜壁管４の上縁と調整リング５との間にリング状浮上防止板１を介在させ、調整リング５上に蓋受枠６を載置した後、これ等のリング状浮上防止板１、調整リング５及び蓋受枠６のボルト穴に後述のボルトを挿通し、斜壁管４の上縁に埋設されたインサートアンカー７、ボルト８及びナット９によって、これ等の斜壁管４、リング状浮上防止板１、調整リング５及び蓋受枠６を一体的に相互に連結する。
【００１５】
前記インサートアンカー７、ボルト８、ナット９は、従来のマンホール構造に於て、蓋受枠６をマンホール躯体に取付固定する場合に使用される金具であるので、これ等の金具をそのまま用いることによって、リング状浮上防止板１をマンホールの上部に簡単に組込み、かつ安定した状態で取付けることが出来る。
【００１６】
図中１０は前記蓋受枠６に被蓋された鉄蓋である。また１１はマンホールの周りの道路面に舗装されたアスファルトやコンクリートの舗装層である。さらに、１２はマンホールの底版、１３は管取付壁管、１４は直壁管、１５、１６は夫々下水管である。
【００１７】
前記第１実施例の浮上防止マンホールは、図３（ａ）、（ｂ）、（ｃ）に示す如く、地震が発生して周りの地盤が液状化して、マンホールに浮力が働いて浮上がろうとした場合にも、マンホールの上部に取付けられたリング状浮上防止板１の上面に対して舗装層１１による反力が働くので、これによってマンホールが浮上することを防止することが出来る。
【００１８】
前述の第１実施例の浮上防止マンホールに於ては、リング状浮上防止板１をマンホールの上部に組込んで構成したが、このリング状浮上防止板１の代りに、図４乃至図６に示す如く、第２実施例の浮上防止マンホールのように外径の大きい特別の浮上防止調整リング１７を用いることによって、全く同様な効果を有する浮上防止マンホールを構成することが出来る。
【００１９】
即ち、マンホールに使用される一般的な調整リングは、前述の調整リング５或は従来の調整リング５５と同様に、斜壁管４、５４の上縁の外径とほぼ等しい外径を持って形成されているが、本発明の第２実施例に使用される浮上防止調整リング１７は、斜壁管４の上縁の外径よりも大きな外径を持って形成されている。
【００２０】
本発明の第２実施例に於ては、このような外径の大きい浮上防止１７を斜壁管４と蓋受枠６との間に組込んで介在させ、これ等の斜壁管４、浮上防止調整リング１７及び蓋受枠６を前述のインサートアンカー７、ボルト８、ナット９を介して相互に連結することによって、第２実施例の浮上防止マンホールを構成することが出来る。
【００２１】
第２実施例の浮上防止マンホールの構成に当って、複数の調整リングを使用する場合には、その一部の調整リングの外径を大きくすれば、目的を達成することが出来る。
【００２２】
第２実施例の浮上防止マンホールに於ては、斜壁管４の上縁の外径よりも大きな外径を有する浮上防止調整リング１７を用いたので、図６（ａ）、（ｂ）、（ｃ）に示す如く、地震が発生して周りの地盤が液状化して、マンホールに浮力が働いて浮上がろうとした場合にも、マンホールの上部に取付けられた浮上防止調整リング１７の上面に対して舗装層１１による反力が働くので、これによってマンホールが浮上することを防止出来る。
【産業上の利用可能性】
【００２３】
本発明に係る浮上防止マンホールは、前記実施例で説明した組立マンホールの他に、現場でコンクリートを打設して構成する古い形式の現場施工マンホールにも利用することが出来る。
【図面の簡単な説明】
【００２４】
【図１】本発明に係る第１実施例の浮上防止マンホールの平面図及び縦断面図である。
【図２】第１実施例で使用されるリング状浮上防止板の平面図及び縦断面図である。
【図３】第１実施例の浮上防止マンホールの地震時の状態を示す縦断面説明図である。
【図４】本発明に係る第２実施例の浮上防止マンホールの平面図及び縦断面図である。
【図５】第２実施例で使用される浮上防止調整リングの平面図及び縦断面図である。
【図６】第２実施例の浮上防止マンホールの地震時の状態を示す縦断面説明図である。
【図７】従来のマンホールが地盤が液状化した際に浮上る状態を示す縦断面説明図である。
【符号の説明】
【００２５】
１      ・・・リング状浮上防止板
２      ・・・丸穴
３      ・・・ボルト穴
４      ・・・斜壁管
５      ・・・調整リング
６      ・・・蓋受枠
７      ・・・インサートアンカー
８      ・・・ボルト
９      ・・・ナット
１０    ・・・鉄蓋
１１    ・・・舗装層
１２    ・・・底版
１３    ・・・管取付壁管
１４    ・・・直壁管
１５    ・・・下水管
１６    ・・・下水管
１７    ・・・浮上防止調整リング
５１    ・・・底版
５２    ・・・管取付壁管
５３    ・・・直壁管
５４    ・・・斜壁管
５５    ・・・調整リング
５６    ・・・蓋受枠
５７    ・・・舗装層
５８    ・・・下水管
５９    ・・・下水管
【図１】
2006299626.tif 000003
【図２】
2006299626.tif 000004
【図３】
2006299626.tif 000005
【図４】
2006299626.tif 000006
【図５】
2006299626.tif 000007
【図６】
2006299626.tif 000008
【図７】
2006299626.tif 000009